(57)【要約】【課題】番組受信とチャンネルサーチを同時に実行し、受信エリアを移動しても受信が行え、受信番組を途切れることなく継続して視聴可能とすること。【解決手段】第１、第２の受信系統と、前記第１、第２の受信系統の復調信号を合成する復調・ダイバ合成手段と、前記第１、第２の受信系統の一方の出力を選択して出力する選択手段と、受信装置全体の動作を制御する制御手段とを備え、制御手段は、一方の受信系統にて受信動作を継続させ、他方の受信系統にはチャンネルサーチを行わせて所定の条件を満たすチャンネルを探索させ、かつ選択手段には継続受信動作する受信系統の出力を選択させる第１の複合動作を実行させ、第１の複合動作の結果、受信すべきチャンネルが見つからなかった場合は、継続受信動作する受信系統とチャンネルサーチを行う受信系統を入れ替えて第１の複合動作と同様の処理を行う第２の複合動作を実行させる制御を行う。【選択図】図１
2011223439.tif 000002
【特許請求の範囲】
【請求項１】
アンテナで受信した受信信号より所定のチャンネルを選局し、該選局チャンネルの視聴番組の信号に、復調・伝送路復号・多重分離・デコード処理を施して映像及び音声信号を出力する第１の受信回路部を含む第１の受信系統と、
アンテナで受信した受信信号より所定のチャンネルを選局し、該選局チャンネルの視聴番組の信号に、復調・伝送路復号・多重分離・デコード処理を施して映像及び音声信号を出力する第２の受信回路部を含む第２の受信系統と、
前記第１の受信系統の第１の受信回路部の出力と前記第２の受信系統の第２の受信回路部の出力のうちどちらか一方を選択して出力する選択手段と、
前記第１の受信系統の復調信号と前記第２の受信系統の復調信号を合成し、該合成信号を前記第１、第２の受信系統のどちらか一方の受信系統に供給する復調・ダイバ合成手段と、
前記第１、第２の受信系統と前記選択手段と前記復調・ダイバ合成手段を制御する制御手段とを備え、
前記制御手段は、前記合成信号に前記第１、第２の受信系統のどちらか一方の受信系統を用いて伝送路復号・多重分離・デコード処理を施して映像及び音声信号を出力させるダイバーシティ受信動作を行わせる制御部と、
前記制御手段は、前記ダイバーシティ受信動作中に所定の条件を満たすと、
前記第１の受信系統と前記第２の受信系統のうち、一方の受信系統には、そのまま視聴番組を継続受信させると共に、他方の受信系統には、チャンネルサーチを行わせて所定の条件を満たすチャンネルを探索させ、かつ前記選択手段に前記視聴番組を継続受信する受信系統の出力を選択させる第１の複合動作を実行する制御部と、
前記第１の複合動作の結果、受信すべきチャンネルが見つからなかった場合は、
前記制御手段は、前記視聴番組を継続受信する受信系統と前記チャンネルサーチを行う受信系統を入れ替え、前記チャンネルサーチを行う受信系統にチャンネルサーチを行わせると共に、前記選択手段に前記視聴番組を継続受信する受信系統の出力を選択させる第２の複合動作を実行する制御部を含んでいることを特徴とする受信装置。
【請求項２】
アンテナで受信した受信信号より所定のチャンネルを選局し、該選局チャンネルの視聴番組の信号に、復調・伝送路復号・多重分離・デコード処理を施して映像及び音声信号を出力する第１の受信系統と、
アンテナで受信した受信信号より所定のチャンネルを選局し、該選局チャンネルの視聴番組の信号に、復調・伝送路復号・多重分離・デコード処理を施して映像及び音声信号を出力する第２の受信系統と、
前記第１の受信系統の第１の受信回路部の出力と前記第２の受信系統の第２の受信回路部の出力のうちどちらか一方を選択して出力する選択手段と、
前記第１の受信系統の復調信号と前記第２の受信系統の復調信号を合成し、該合成信号を前記第１、第２の受信系統のどちらか一方の受信系統に供給する復調・ダイバ合成手段と、
前記第１、第２の受信系統と前記選択手段と前記復調・ダイバ合成手段を制御する制御手段とを備え、
前記制御手段は、前記合成信号に前記第１、第２の受信系統のどちらか一方の受信系統を用いて伝送路復号・多重分離・デコード処理を施して映像及び音声信号を出力させるダイバーシティ受信動作を行わせる制御部と、
前記制御手段は、前記ダイバーシティ受信動作中に所定の条件を満たすと、
前記第１の受信系統と前記第２の受信系統のうち、一方の受信系統には、そのまま視聴番組を継続受信させると共に、他方の受信系統には、チャンネルサーチを行わせて所定の条件を満たすチャンネルを探索させ、かつ前記選択手段は前記継続受信動作する受信系統の出力を選択させる第１の複合動作を実行する制御部と、
前記第１の複合動作の結果、受信すべきチャンネルが見つからなかった場合は、
前記制御手段は、前記視聴番組を継続受信する受信系統と前記チャンネルサーチを行う受信系統を入れ替えた時に、前記視聴番組を継続受信する受信系統において、該視聴番組が受信可能であるか否かを判定する制御部と、
受信可能であると判定した場合に限り、実際に前記視聴番組を継続受信する受信系統と前記チャンネルサーチを行う受信系統を入れ替え、前記チャンネルサーチを行う受信系統にチャンネルサーチを行わせると共に、前記選択手段に前記視聴番組を継続受信する受信系統の出力を選択させる第２の複合動作を実行する制御部を含んでいることを特徴とする受信装置。
【請求項３】
請求項１及び請求項２において、
前記制御手段は、前記視聴番組の受信状態を判断するための複数の閾値と、前記複数の閾値間ごとに数値カウントを行うための時間インターバル値を設定する制御部と、
前記制御手段は、前記ダイバーシティ受信動作中において、前記視聴番組の受信状態が前記複数の閾値間を遷移している間は、前記時間インターバル値に従って前記数値カウントを行い、前記数値カウントが所定の数値に達すると前記第１の複合動作を開始する制御部を含んでいることを特徴とする受信装置。
【請求項４】
請求項１及び請求項２において、
前記チャンネルサーチで探索する所定の条件を満たすチャンネルとは、
前記視聴番組を継続受信している受信系統が受信しているチャンネルの中継局又は系列局のチャンネルであって、かつ前記視聴番組を継続受信している受信系統が受信しているチャンネルの受信状態よりも良好な前記中継局又は系列局であることを特徴とする受信装置。
【請求項５】
請求項１及び請求項２において、
前記第１の複合動作では、前記第１の受信系統と前記第２の受信系統のうち、受信状態が良好な方の受信系統を、前記視聴番組を継続受信する受信系統に設定し、他方の受信系統を、前記チャンネルサーチを行う受信系統に設定することを特徴とする受信装置。
【請求項６】
アンテナで受信した受信信号より所定のチャンネルを選局し、該選局チャンネルの視聴番組の信号に、復調・伝送路復号・多重分離・デコード処理を施して映像及び音声信号を出力する第１の受信系統と、
アンテナで受信した受信信号より所定のチャンネルを選局し、該選局チャンネルの視聴番組の信号に、復調・伝送路復号・多重分離・デコード処理を施して映像及び音声信号を出力する第２の受信系統と、
前記第１の受信系統の第１の受信回路部の出力と前記第２の受信系統の第２の受信回路部の出力のうちどちらか一方を選択して出力する選択手段と、
前記第１の受信系統の復調信号と前記第２の受信系統の復調信号を合成し、該合成信号を前記第１、第２の受信系統のどちらか一方の受信系統に供給する復調・ダイバ合成手段と、
前記第１、第２の受信系統と前記選択手段と前記復調・ダイバ合成手段を制御する制御手段とを備え、
前記制御手段は、前記合成信号に前記第１、第２の受信系統のどちらか一方の受信系統を用いて伝送路復号・多重分離・デコード処理を施して映像及び音声信号を出力させるダイバーシティ受信動作を行わせる制御部と、
前記制御手段は、前記ダイバーシティ受信動作中に所定の条件を満たすと、
前記第１の受信系統と前記第２の受信系統のうち、一方の受信系統には、そのまま視聴番組を継続受信させると共に、他方の受信系統には、チャンネルスキャンを行わせて受信可能なチャンネルを探索させ、かつ前記選択手段に前記視聴番組を継続受信する受信系統の出力を選択させる第１の複合動作を実行する制御部と、
前記制御手段は、前記視聴番組を継続受信する受信系統と前記チャンネルサーチを行う受信系統を入れ替え、前記チャンネルサーチを行う受信系統にチャンネルスキャンを行わせると共に、前記選択手段に前記視聴番組を継続受信する受信系統の出力を選択させる第２の複合動作を実行する制御部を含んでいることを特徴とする受信装置。
【請求項７】
アンテナで受信した受信信号より所定のチャンネルを選局し、該選局チャンネルの視聴番組の信号に、復調・伝送路復号・多重分離・デコード処理を施して映像及び音声信号を出力する第１の受信系統と、
アンテナで受信した受信信号より所定のチャンネルを選局し、該選局チャンネルの視聴番組の信号に、復調・伝送路復号・多重分離・デコード処理を施して映像及び音声信号を出力する第２の受信系統と、
前記第１の受信系統の第１の受信回路部の出力と前記第２の受信系統の第２の受信回路部の出力のうちどちらか一方を選択して出力する選択手段と、
前記第１の受信系統の復調信号と前記第２の受信系統の復調信号を合成し、該合成信号を前記第１、第２の受信系統のどちらか一方の受信系統に供給する復調・ダイバ合成手段と、
前記第１、第２の受信系統と前記選択手段と前記復調・ダイバ合成手段を制御する制御手段とを備え、
前記制御手段は、前記（第１の受信系統の復調信号と前記第２の受信系統の復調信号を合成し、該合成信号に前記第１、第２の受信系統のどちらか一方の受信系統を用いて伝送路復号・多重分離・デコード処理を施して映像及び音声信号を出力させるダイバーシティ受信動作を行わせ制御部と、
前記制御手段は、前記ダイバーシティ受信動作中に所定の条件を満たすと、
前記第１の受信系統と前記第２の受信系統のうち、一方の受信系統には、そのまま視聴番組を継続受信させると共に、他方の受信系統には受信機に登録されているチャンネルについてＥＰＧの取得を行わせ、かつ前記選択手段に前記視聴番組を継続受信する受信系統の出力を選択させる第１の複合動作を実行する制御部と、
前記第１の複合動作の結果、全ての前記受信機に登録されているチャンネルについてＥＰＧの取得ができなかった場合は、
前記制御手段は、前記視聴番組を継続受信する受信系統と前記ＥＰＧを取得する受信系統を入れ替え、前記ＥＰＧを取得する受信系統に対して、前記第１の複合動作で取得できなかったチャンネルについてＥＰＧの取得を行わせると共に、前記選択手段に前記視聴番組を継続受信する受信系統の出力を選択させる第２の複合動作を実行する制御部を含んでいることを特徴とする受信装置。
【請求項８】
アンテナで受信した受信信号より所定のチャンネルを選局し、該選局チャンネルの視聴番組の信号に、復調・伝送路復号・多重分離・デコード処理を施して映像及び音声信号を出力する第１の受信系統と、
アンテナで受信した受信信号より所定のチャンネルを選局し、該選局チャンネルの視聴番組の信号に、復調・伝送路復号・多重分離・デコード処理を施して映像及び音声信号を出力する第２の受信系統と、
前記第１の受信系統の第１の受信回路部の出力と前記第２の受信系統の第２の受信回路部の出力のうちどちらか一方を選択して出力する選択手段と、
前記第１の受信系統の復調信号と前記第２の受信系統の復調信号を合成し、該合成信号を前記第１、第２の受信系統のどちらか一方の受信系統に供給する復調・ダイバ合成手段と、
前記第１、第２の受信系統と前記選択手段と前記復調・ダイバ合成手段を制御する制御手段とを備え、
前記制御手段は、前記合成信号に前記第１、第２の受信系統のどちらか一方の受信系統を用いて伝送路復号・多重分離・デコード処理を施して映像及び音声信号を出力させるダイバーシティ受信動作を行わせる制御部と、
前記制御手段は、前記ダイバーシティ受信動作中に所定の条件を満たすと、
前記第１の受信系統と前記第２の受信系統のうち、一方の受信系統にはそのまま視聴番組を継続受信させると共に、他方の受信系統にはチャンネルサーチを行わせて各チャンネルの受信状態の取得及び所定の条件を満たすチャンネルを探索させ、かつ前記選択手段に前記視聴番組を継続受信する受信系統の出力を選択させる第１の複合動作を実行する制御部と、
前記制御手段は、前記視聴番組を継続受信する受信系統と前記チャンネルサーチを行う受信系統を入れ替え、前記チャンネルサーチを行う受信系統にチャンネルサーチを行わせて各チャンネルの受信状態の取得及び所定の条件を満たすチャンネルを探索させると共に、前記選択手段に前記視聴番組を継続受信する受信系統の出力を選択させる第２の複合動作を実行する制御部と、
前記第１の複合動作と前記第２の複合動作で得られた前記各チャンネルの受信状態をチャンネルごとに合成して合成後の受信状態を算出する制御部と、
前記所定の条件を満たすチャンネルの中で最も前記合成後の受信状態が良好なチャンネルに視聴番組のチャンネルを設定する制御部を含んでいることを特徴とする受信装置。
【請求項９】
アンテナで受信した受信信号を伝送する第１、第２の受信系統を有し、該第１、第２の受信系統による復調信号の合成信号をもってダイバーシティ受信動作が可能な受信装置において、
ダイバーシティ受信動作中にチャンネルサーチを開始する条件に達した場合、前記ダイバーシティ受信動作を停止させ、前記第１、第２の受信系統のいずれか一方には、前記第１、第２の受信系統で選局した視聴番組を継続受信させ、他方には、チャンネルサーチを行わせ又は受信機に登録されているチャンネルについてのＥＰＧを取得させる第１の複合動作を実行し、
前記第１の複合動作において、受信すべきチャンネルが見つからなかった場合、前記第１、第２の受信系統を切り替え、前記第１、第２の受信系統のいずれか一方には、チャンネルサーチを行わせ、他方には、前記視聴番組を継続受信させる第２の複合動作を実行する制御手段と、
を設けたことを特徴とする受信装置。
【発明の詳細な説明】
【技術分野】
【０００１】
本発明は、通信や放送を受信する受信装置に係り、特に移動体に搭載されて地上デジタル放送を移動しながら受信する受信装置に関する。
【背景技術】
【０００２】
一般に放送局は、放送地域内の複数の場所に中継局を設置し、これらの中継局から放送電波を送出することで、放送の受信エリアを拡大している。中継局が同一周波数で送出していれば（ＳＦＮ：Ｓｉｎｇｌｅ  Ｆｒｅｑｕｅｎｃｙ  Ｎｅｔｗｏｒｋ）、別の受信エリアに移動しても、継続して番組を視聴することができる。しかし、中継局が異なる周波数で送出している場合は（ＭＦＮ：Ｍｕｌｔｉ  Ｆｒｅｑｕｅｎｃｙ  Ｎｅｔｗｏｒｋ）、他の受信エリアに移動すると、それまで視聴していた番組が受信できなくなる。
【０００３】
このため、特に自動車などの移動体に搭載された放送受信装置では、別の受信エリアに移動し、視聴していた番組が受信できなくなった場合には、継続して番組を視聴するためにチャンネルサーチを行って受信可能な中継局の放送電波を探索し、チャンネルを再設定する必要がある。このチャンネルサーチを行っている間、番組を視聴できないという不都合があった。
【０００４】
係る課題に鑑み、従来に例えば、放送地域をまたがって移動しても地域ごとのデジタル放送を継続的に選局する地上デジタル自動選局方法が提案されている（特許文献１参照）。この従来技術では、ダブルチューナー搭載のダイバーシティアンテナ受信機を用いて、２個のチューナで状態の良い方の信号を用いて受信を行っている。電波が安定しているときは、片方のチューナを用いてチャンネルサーチを行い、受信地域の全チャンネル情報を受信機のチャンネルメモリに記憶させる。また、放送で隣接地域のチャンネル情報を放送し、それを片方のチューナで受信して、隣接地域のチャンネル情報を記憶させることにより、隣接地域に移動したときにその地域の放送チャンネルをサーチすることなく、シームレスな放送受信を可能としたものである。
【先行技術文献】
【特許文献】
【０００５】
【特許文献１】特開２００４−３２０４０６号公報
【発明の概要】
【発明が解決しようとする課題】
【０００６】
自動車などの移動体に搭載される放送受信装置では、走行中でも放送電波を安定して受信するために、複数のアンテナを使用するダイバーシティ受信が行われている。ダイバーシティ受信では、各アンテナの受信信号が無相関となるように、各アンテナはなるべく離れた場所に配置される。また、各アンテナの取り付け方法によって、各アンテナの受信指向性の方向、或いは受信偏波の角度などが異なり、これにより各アンテナで受信される放送電波の受信状態は異なるものとなる。
しかしながら、上記従来技術では、受信状態の良好なチューナで受信を継続し、残りのチューナでチャンネルサーチを行っているため、チャンネルサーチ用チューナのアンテナで中継局の放送電波をうまく受信できず、チャンネルサーチを行っても中継局を見つけることができない可能性が生じる場合がある。
【０００７】
本発明は、上記問題点に鑑みてなされたものであり、その目的は、視聴番組の受信電波状態が低下した場合に、番組の視聴を継続しつつ受信可能な中継局を探索することで、別の受信エリアに移動しても継続して番組を視聴可能な受信装置を提供することにある。
【課題を解決するための手段】
【０００８】
前記目的を達成するため本発明は、例えば、
アンテナで受信した受信信号を伝送する第１、第２の受信系統を有し、該第１、第２の受信系統による復調信号の合成信号をもってダイバーシティ受信動作が可能な受信装置において、
ダイバーシティ受信動作中に所定の条件を満たした場合、前記第１、第２の受信系統のいずれか一方には、前記第１、第２の受信系統で選局した視聴番組を継続受信させると共に、他方には、チャンネルサーチを行わせ又は受信機に登録されているチャンネルについてのＥＰＧを取得させる第１の複合動作を実行し、
前記第１の複合動作において、受信すべきチャンネルが見つからなかった場合、前記第１、第２の受信系統を切り替え、前記第１、第２の受信系統のいずれか一方には、チャンネルサーチを行わせると共に、他方には、前記視聴番組を継続受信させる第２の複合動作を実行する制御手段を設けたことにある。
【発明の効果】
【０００９】
本発明によれば、視聴番組の受信電波状態が低下した場合に、番組の視聴を継続しつつ受信可能な中継局を探索することで、別の受信エリアに移動しても継続して番組を視聴することが可能である。
【図面の簡単な説明】
【００１０】
【図１】本発明の第１の実施の形態における受信装置１０の構成を示すブロック図である。
【図２】図１の制御部１８の動作を示すフローチャートである。
【図３】図２におけるステップＳ２０３の判定処理を説明する図である。
【図４】本発明の第２の実施の形態における制御部１８の動作を示すフローチャートである。
【図５】図２をもとに作成した、本発明の第３の実施の形態における制御部１８の動作を示すフローチャートである。
【図６】図４をもとに作成した、本発明の第３の実施の形態における制御部１８の動作を示すフローチャートである。
【図７】本発明の第４の実施の形態における受信装置１０の構成を示すブロック図である。
【図８】図７の制御部１８に格納する放送局データベースの内容を示す図である。
【図９】本発明の第４の実施の形態における制御部１８の動作を示すフローチャートである。
【図１０】本発明の第５の実施の形態における制御部１８の動作を示すフローチャートである。
【図１１】本発明の第６の実施の形態における制御部１８の動作を示すフローチャートである。
【図１２】本発明の第７の実施の形態における制御部１８の動作を示すフローチャートである。
【図１３】本発明の第７の実施の形態において、選局部１２ａ及び１２ｂでサーチしたチャンネルの電力加算処理を示す図である。
【発明を実施するための形態】
【００１１】
本発明は、概念的には、例えば、以下のとおり構成される。すなわち、
アンテナで受信した受信信号より所定のチャンネルを選局し、復調・伝送路復号・多重分離・デコード処理を施して映像及び音声信号を出力する第１の受信系統と、アンテナで受信した受信信号より所定のチャンネルを選局し、復調・伝送路復号・多重分離・デコード処理を施して映像及び音声信号を出力する第２の受信系統と、前記第１の受信系統の出力と前記第２の受信系統の出力のうちどちらか一方を選択して出力する選択手段と、受信装置全体の動作を制御する制御手段とを備え、
前記制御手段は、前記第１の受信系統の復調信号と前記第２の受信系統の復調信号を合成し、合成信号をどちらか一方の受信系統を用いて伝送路復号・多重分離・デコード処理を施して映像及び音声信号を出力させるダイバーシティ受信動作を行わせることが可能であり、
前記制御手段は、前記ダイバーシティ受信動作中に所定の条件を満たすと、前記第１の受信系統と前記第２の受信系統のうち、一方の受信系統にはそのまま視聴番組を継続受信させると共に、他方の受信系統にはチャンネルサーチを行わせて所定の条件を満たすチャンネルを探索させ、かつ前記選択手段に前記視聴番組を継続受信する受信系統の出力を選択させる第１の複合動作を実行し、
前記第１の複合動作の結果、受信すべきチャンネルが見つからなかった場合は、前記制御手段は、前記視聴番組を継続受信する受信系統と前記チャンネルサーチを行う受信系統を入れ替え、前記チャンネルサーチを行う受信系統にチャンネルサーチを行わせると共に、前記選択手段に前記視聴番組を継続受信する受信系統の出力を選択させる第２の複合動作を実行する。
【００１２】
また、アンテナで受信した受信信号より所定のチャンネルを選局し、復調・伝送路復号・多重分離・デコード処理を施して映像及び音声信号を出力する第１の受信系統と、アンテナで受信した受信信号より所定のチャンネルを選局し、復調・伝送路復号・多重分離・デコード処理を施して映像及び音声信号を出力する第２の受信系統と、前記第１の受信系統の出力と前記第２の受信系統の出力のうちどちらか一方を選択して出力する選択手段と、受信装置全体の動作を制御する制御手段とを備え、
前記制御手段は、前記第１の受信系統の復調信号と前記第２の受信系統の復調信号を合成し、合成信号をどちらか一方の受信系統を用いて伝送路復号・多重分離・デコード処理を施して映像及び音声信号を出力させるダイバーシティ受信動作を行わせることが可能であり、
前記制御手段は、前記ダイバーシティ受信動作中に所定の条件を満たすと、前記第１の受信系統と前記第２の受信系統のうち、一方の受信系統にはそのまま視聴番組を継続受信させると共に、他方の受信系統にはチャンネルサーチを行わせて所定の条件を満たすチャンネルを探索させ、かつ前記選択手段は前記継続受信動作する受信系統の出力を選択させる第１の複合動作を実行し、
前記第１の複合動作の結果、受信すべきチャンネルが見つからなかった場合は、前記制御手段は、前記視聴番組を継続受信する受信系統と前記チャンネルサーチを行う受信系統を入れ替えた時に、前記視聴番組を継続受信する受信系統において、視聴番組が受信可能であるか否かを判定し、受信可能であると判定した場合に限り、実際に前記視聴番組を継続受信する受信系統と前記チャンネルサーチを行う受信系統を入れ替え、前記チャンネルサーチを行う受信系統にチャンネルサーチを行わせると共に、前記選択手段に前記視聴番組を継続受信する受信系統の出力を選択させる第２の複合動作を実行する。
【００１３】
また、前記制御手段は、視聴番組の受信状態を判断するための複数の閾値と、前記複数の閾値間ごとに数値カウントを行うための時間インターバル値を設定し、前記制御手段は、前記ダイバーシティ受信動作中において、視聴番組の受信状態が前記複数の閾値間を遷移している間は、前記時間インターバル値に従って前記数値カウントを行い、前記数値カウントが所定の数値に達すると前記第１の複合動作を開始する。
【００１４】
また、前記チャンネルサーチで探索する所定の条件を満たすチャンネルとは、前記視聴番組を継続受信している受信系統が受信しているチャンネルの中継局又は系列局のチャンネルであって、かつ前記視聴番組を継続受信している受信系統が受信しているチャンネルの受信状態よりも良好な前記中継局又は系列局である。
【００１５】
また、前記第１の複合動作では、前記第１の受信系統と前記第２の受信系統のうち、受信状態が良好な方の受信系統を、前記視聴番組を継続受信する受信系統に設定し、他方の受信系統を、前記チャンネルサーチを行う受信系統に設定する。
【００１６】
また、アンテナで受信した受信信号より所定のチャンネルを選局し、復調・伝送路復号・多重分離・デコード処理を施して映像及び音声信号を出力する第１の受信系統と、アンテナで受信した受信信号より所定のチャンネルを選局し、復調・伝送路復号・多重分離・デコード処理を施して映像及び音声信号を出力する第２の受信系統と、前記第１の受信系統の出力と前記第２の受信系統の出力のうちどちらか一方を選択して出力する選択手段と、受信装置全体の動作を制御する制御手段とを備え、
前記制御手段は、前記第１の受信系統の復調信号と前記第２の受信系統の復調信号を合成し、合成信号をどちらか一方の受信系統を用いて伝送路復号・多重分離・デコード処理を施して映像及び音声信号を出力させるダイバーシティ受信動作を行わせることが可能であり、
前記制御手段は、前記ダイバーシティ受信動作中に所定の条件を満たすと、前記第１の受信系統と前記第２の受信系統のうち、一方の受信系統にはそのまま視聴番組を継続受信させると共に、他方の受信系統にはチャンネルスキャンを行わせて受信可能なチャンネルを探索させ、かつ前記選択手段に前記視聴番組を継続受信する受信系統の出力を選択させる第１の複合動作を実行し、その後前記制御手段は、前記視聴番組を継続受信する受信系統と前記チャンネルサーチを行う受信系統を入れ替え、前記チャンネルサーチを行う受信系統にチャンネルスキャンを行わせると共に、前記選択手段に前記視聴番組を継続受信する受信系統の出力を選択させる第２の複合動作を実行する。
【００１７】
また、アンテナで受信した受信信号より所定のチャンネルを選局し、復調・伝送路復号・多重分離・デコード処理を施して映像及び音声信号を出力する第１の受信系統と、アンテナで受信した受信信号より所定のチャンネルを選局し、復調・伝送路復号・多重分離・デコード処理を施して映像及び音声信号を出力する第２の受信系統と、前記第１の受信系統の出力と前記第２の受信系統の出力のうちどちらか一方を選択して出力する選択手段と、受信装置全体の動作を制御する制御手段とを備え、
前記制御手段は、前記第１の受信系統の復調信号と前記第２の受信系統の復調信号を合成し、合成信号をどちらか一方の受信系統を用いて伝送路復号・多重分離・デコード処理を施して映像及び音声信号を出力させるダイバーシティ受信動作を行わせることが可能であり、
前記制御手段は、前記ダイバーシティ受信動作中に所定の条件を満たすと、前記第１の受信系統と前記第２の受信系統のうち、一方の受信系統にはそのまま視聴番組を継続受信させると共に、他方の受信系統には受信機に登録されているチャンネルについてＥＰＧの取得を行わせ、かつ前記選択手段に前記視聴番組を継続受信する受信系統の出力を選択させる第１の複合動作を実行し、
前記第１の複合動作の結果、全ての前記受信機に登録されているチャンネルについてＥＰＧの取得ができなかった場合は、前記制御手段は、前記視聴番組を継続受信する受信系統と前記ＥＰＧを取得する受信系統を入れ替え、前記ＥＰＧを取得する受信系統に対して、前記第１の複合動作で取得できなかったチャンネルについてＥＰＧの取得を行わせると共に、前記選択手段に前記視聴番組を継続受信する受信系統の出力を選択させる第２の複合動作を実行する。
【００１８】
また、アンテナで受信した受信信号より所定のチャンネルを選局し、復調・伝送路復号・多重分離・デコード処理を施して映像及び音声信号を出力する第１の受信系統と、アンテナで受信した受信信号より所定のチャンネルを選局し、復調・伝送路復号・多重分離・デコード処理を施して映像及び音声信号を出力する第２の受信系統と、前記第１の受信系統の出力と前記第２の受信系統の出力のうちどちらか一方を選択して出力する選択手段と、受信装置全体の動作を制御する制御手段とを備え、
前記制御手段は、前記第１の受信系統の復調信号と前記第２の受信系統の復調信号を合成し、合成信号をどちらか一方の受信系統を用いて伝送路復号・多重分離・デコード処理を施して映像及び音声信号を出力させるダイバーシティ受信動作を行わせることが可能で、前記制御手段は、前記ダイバーシティ受信動作中に所定の条件を満たすと、前記第１の受信系統と前記第２の受信系統のうち、一方の受信系統にはそのまま視聴番組を継続受信させると共に、他方の受信系統にはチャンネルサーチを行わせて各チャンネルの受信状態の取得及び所定の条件を満たすチャンネルを探索させ、かつ前記選択手段に前記視聴番組を継続受信する受信系統の出力を選択させる第１の複合動作を実行し、
続いて前記制御手段は、前記視聴番組を継続受信する受信系統と前記チャンネルサーチを行う受信系統を入れ替え、前記チャンネルサーチを行う受信系統にチャンネルサーチを行わせて各チャンネルの受信状態の取得及び所定の条件を満たすチャンネルを探索させると共に、前記選択手段に前記視聴番組を継続受信する受信系統の出力を選択させる第２の複合動作を実行し、前記第１の複合動作と前記第２の複合動作で得られた前記各チャンネルの受信状態をチャンネルごとに合成して合成後の受信状態を算出し、前記所定の条件を満たすチャンネルの中で最も前記合成後の受信状態が良好なチャンネルに視聴番組のチャンネルを設定する。
【００１９】
以下、上述した概念的本発明の実施の形態につき、図面に基づいて詳細に説明する。
なお、本発明の実施の形態における受信装置では、日本の地上デジタル放送の伝送方式であるＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  ｆｏｒ  Ｔｅｒｒｅｓｔｒｉａｌ）による放送信号を受信し、ＭＰＥＧ２−ＴＳ（Ｔｒａｎｓｐｏｒｔ  Ｓｔｒｅａｍ）（以下、ＴＳ信号）形式の映像・音声信号をデコードすることができる。ＩＳＤＢ−Ｔでは、１チャンネルの伝送帯域を１３個のセグメントに分割し、それぞれのセグメントを組み合わせて、最大３階層までの階層伝送を行うことができる。
【００２０】
現在、この階層伝送を利用し、１２個のセグメントを使用して固定受信端末向けの高品質な放送（以下、１２セグ放送）と、残りの１個のセグメントを使用して携帯受信端末向けの低品質な放送（以下、ワンセグ放送と称する）が行われている。１２セグ放送とワンセグ放送は、同じ番組内容を放送するサイマル放送が主流である。ここで、１２セグ放送は、伝送容量が大きく高品質な放送であるがエラー耐性に弱く、放送電波の受信状態が比較的良好でないと受信できない。一方、ワンセグ放送は、伝送容量が小さく低品質な放送であるがエラー耐性に強く、放送電波の受信状態が比較的劣化していても受信できるという特徴がある。本発明の実施の形態における受信装置では、１２セグ放送とワンセグ放送の両方の受信機能を有しており、放送電波の受信状態の良否に応じてどちらか一方の映像・音声信号を選択してディスプレイやスピーカなどに出力することができる。
【実施例１】
【００２１】
図１は、本発明の第１の実施の形態における受信装置１０の構成を示すブロック図である。
同図において、１１０は第１の受信回路部を示し、第１の受信系統を構成している。第１の受信回路部１１０は、アンテナ部１１ａ、選局部１１ｂ、復調・ダイバ合成部１３、ＴＳ解析部１４ａ、映像・音声デコーダ部１５ａを含んでいる。アンテナ部１１ａは、放送電波を受信して選局部１２ａに供給する。選局部１２ａは、供給された放送電波の中から後述する制御部１８より指示されたチャンネルを抽出及び周波数変換を施し、所望のチャンネル信号を復調・ダイバ合成部１３に供給する。
【００２２】
また、１２０は第２の受信回路部を示し、第２の受信系統を構成している。第２の受信回路部１２０は、アンテナ部１１ｂ、選局部１１ｃ、復調・ダイバ合成部１３、ＴＳ解析部１４ｂ、映像・音声デコーダ部１５ｂを含んでいる。アンテナ部１１ｂ及び選局部１２ｂは、アンテナ部１１ａ及び選局部１２ａと同一構成であり、説明を省略する。
【００２３】
復調・ダイバ合成部１３は、選局部１２ａ及び１２ｂより供給された各々のチャンネル信号に対して、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調及び伝送路復号を行ってＴＳ信号を抽出する。抽出された各々のＴＳ信号は、ＴＳ解析部１４ａ及び１４ｂに出力する。
【００２４】
また、復調・ダイバ合成部１３は、上記のように供給されたチャンネル信号を独立処理するだけではなく、供給された２つのチャンネル信号に対して、ダイバ合成処理を行うこともできる。具体的には、各々のＯＦＤＭ復調過程で抽出される複数のサブキャリアについて、サブキャリア毎に重み付け合成する最大比合成法を利用する。ダイバ合成処理によって抽出されたＴＳ信号は、制御部１８の指示により、ＴＳ解析部１４ａ又は１４ｂのどちらか一方に出力される。
【００２５】
但し、上記のダイバ合成処理の方法は、最大比合成法に限定されるものではなく、例えば、最大電力のチャンネル信号を選択してその他のチャンネル信号は破棄する選択合成法、各々のチャンネル信号の位相を同一にして合成する等利得合成法などを用いることもできる。
更に、復調・ダイバ合成部１３は、ＯＦＤＭ復調及び伝送路復号を行う際にＢＥＲ（Ｂｉｔ  Ｅｒｒｏｒ  Ｒａｔｅ）、ＰＥＲ（Ｐａｃｋｅｔ  Ｅｒｒｏｒ  Ｒａｔｅ）、ＣＮＲ（Ｃａｒｒｉｅｒ  ｔｏ  Ｎｏｉｓｅ  Ｒａｔｉｏ）、受信電力、同期状態などの受信信号の品質を示す情報（以下、信号品質値）を定期的に抽出し、制御部１８に供給する。
【００２６】
ＴＳ解析部１４ａは、復調・ダイバ合成部１３より供給されたＴＳ信号の中から、映像及び音声が含まれるＴＳパケットを抽出し、映像・音声デコード部１５ａに供給する。また、ＴＳ解析部１４ａは、制御部１８の指示に基づき、ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等の情報をＴＳパケットより抽出し、制御部１８に供給する。ＴＳ解析部１４ｂは、ＴＳ解析部１４ａと同一構成であり、説明を省略する。
【００２７】
映像・音声デコード部１５ａは、ＴＳ解析部１４ａより供給された映像及び音声のＴＳパケットをデコードし、デコードした映像・音声信号を選択部１６に供給する。映像・音声デコード部１５ａは、ＭＰＥＧ−２（Ｍｏｖｉｎｇ  Ｐｉｃｔｕｒｅ  Ｅｘｐｅｒｔｓ  Ｇｒｏｕｐ  ２）で符号化されている１２セグ放送、及びＨ．２６４で符号化されているワンセグ放送の両方をデコード可能であり、制御部１８の指示に基づき、１２セグ放送とワンセグ放送のどちらか一方の映像及び音声信号を選択部１６に供給する。
【００２８】
なお、制御部１８が１２セグ放送とワンセグ放送のどちらを選択するかについては、例えば以下のように判断すれば良い。まず、制御部１８が１２セグ放送を選択している場合は、復調・ダイバ合成部１３より供給された信号品質値が所定の閾値未満となった場合にワンセグ放送に切り替える。次に、制御部１８がワンセグ放送を選択している場合は、信号品質値が所定の閾値以上となった場合（或いは、所定の閾値以上となる時間が一定期間継続した場合）に１２セグ放送に切り替える。但し、ここでは信号品質値が大きいほど放送電波の受信状態は良好、小さいほど受信状態は不良であるものしている。映像・音声デコード部１５ｂは、映像・音声デコード部１５ａと同一構成であり、説明を省略する。
【００２９】
選択部１６は、制御部１８の指示に基づき、映像・音声デコード部１５ａより供給された映像及び音声信号（以下、Ａ側）及び映像・音声デコード部１５ｂより供給された映像及び音声信号（以下、Ｂ側）のうち、どちらか一方を選択し出力部１７に供給する。
【００３０】
出力部１７は、ディスプレイやスピーカなどから構成され、供給された映像信号をディスプレイに表示する。また、供給された音声信号をスピーカで出力する。
制御部１８は、後述するように受信装置１０の動作全体を制御する。
操作部１９は、出力部１７のディスプレイ上に表示されたチャンネル選局ボタン、或いはリモコンのチャンネル選局ボタンなどで構成され、これらを用いてユーザが選局操作を行うと、選局情報が制御部１８に供給される。
【００３１】
以下、図２を用いて受信装置１０によるデジタル放送受信処理について具体的に説明する。図２は、制御部１８の動作を示すフローチャートである。
同図において、ユーザの選局操作が行われ、操作部１９の選局ボタン操作に伴う選局情報が制御部１８に供給されると、制御部１８は本フローチャートに従って各処理を開始する。
【００３２】
まず、ステップＳ２０１にて制御部１８は、操作部１９より供給された選局情報に基づき、対応する受信チャンネルを選局部１２ａ及び１２ｂに設定する。
次に、ステップＳ２０２にて制御部１８は、復調・ダイバ合成部１３に対し、ダイバ合成処理を行わせ、抽出したＴＳ信号をＴＳ解析部１４ａに出力させる。また、制御部１８は、選択部１６に対し、Ａ側の映像及び音声信号を選択させる。上記処理により、２つのアンテナ１１ａ、１１ｂを使用したダイバーシティ受信動作を行いつつ、ユーザは所望の放送番組を視聴することができる。
続いて、ステップＳ２０３にて制御部１８は、チャンネルサーチを開始する条件に達したか否かを判定し、チャンネルサーチを開始する条件に達した場合はステップＳ２０４に進み、チャンネルサーチを開始する条件に達していない場合はステップＳ２０３の判定を繰り返し実行する。
【００３３】
図３は、ステップＳ２０３の判定処理を説明する図である。同図において、３０１は、信号品質値の時間変化を遷移Ａ、Ｂ、Ｃの３通りについて示したグラフである。また、３０１には信号品質値の大きさに応じた閾値Ａ、Ｂ、Ｃを設け、閾値Ａ＞閾値Ｂ＞閾値Ｃとする。ここで、閾値Ａは１２セグ放送が受信可能な最小の信号品質値となる程度の値であり、かつ１２セグ放送からワンセグ放送への切り替え判定に使用する閾値と同一である。また、３０１では説明を簡単にするため、遷移Ａ、Ｂ、Ｃが閾値Ａよりも小さくなる時刻を同一時刻ｔ１としている。３０２は、信号品質値の時間変化が遷移Ａ、Ｂ、Ｃそれぞれの場合について、チャンネルサーチの開始タイミングを示している。
【００３４】
制御部１８は、信号品質値が閾値Ａ未満となった時点、例えば視聴番組が１２セグ放送からワンセグ放送に切り替わった時点で、数値カウントを開始する。数値カウントは、信号品質値の大きさに応じて、数値カウントを行う時間インターバルが異なる。また、信号品質値が閾値Ｂ以上、且つ閾値Ａ未満の場合は所定の時間インターバル（ΔＴＡとする）で数値カウントを行い、信号品質値が閾値Ｃ以上且つ閾値Ｂ未満の場合はΔＴＡよりも小さい時間インターバル（ΔＴＢとする）で数値カウントを行い、信号品質値が閾値Ｃ未満の場合はΔＴＢよりも小さい時間インターバル（ΔＴＣとする）で数値カウントを行う。そして、数値カウントが所定のカウント数に達した時点でチャンネルサーチを開始する。ここで、Δはデルタの意味である。以下同一。
【００３５】
このように、信号品質値に応じて数値カウントの時間インターバルを変更することで（ΔＴＡ＞ΔＴＢ＞ΔＴＣ）、信号品質値が大きく低下するほどチャンネルサーチを開始するまでの時間を短くしている。従って、受信状態の低下が比較的小さい場合は受信状態が良好に転じる可能性が高いためチャンネルサーチを開始するタイミングを延ばしておき、受信状態が大きく低下するような場合は視聴番組が受信不可となっても早めにチャンネルサーチを実行して中継局のチャンネルに切り替えることが可能となる。
【００３６】
一方で、ΔＴＡ、ΔＴＢ、ΔＴＣをそれぞれ任意の値に設定することで、チャンネルサーチを開始させるタイミングを変更することもできる。例えば、自動車で走行中にトンネルに入り、また、ビル影や高架下に入るなどによって放送電波の受信状態が急激に低下した場合、これらを通過した後は再び受信状態が好転する可能性が高い。このように、一時的に放送電波の受信状態が劣化したことによるチャンネルサーチの発生を避けるためには、ΔＴＡ＜ΔＴＢ＜ΔＴＣのように設定すれば良い。
【００３７】
上記処理により、ステップＳ２０３にてチャンネルサーチを開始する条件に達した場合、ステップＳ２０４にて制御部１８は、選局部１２ａ又は１２ｂのどちらか一方の選局部を継続受信するための受信用、他方の選局部を、チャンネルサーチを実行するためのサーチ用に割り当てる。この割り当て方法は、復調・ダイバ合成部１３にて選局部１２ａ及び１２ｂの各々のチャンネル信号のＣＮＲを算出し、ＣＮＲが大きい方を受信用、ＣＮＲが小さい方をサーチ用に用いれば良い。但し、ＣＮＲ以外の他の信号品質値を用いて割り当てを決定しても良い。このように、放送電波の受信状態が良い方の選局部を受信用に用いることで、ダイバーシティ受信を行わなくても、受信性能の低下をできる限り抑制することができる。
【００３８】
以下に、ステップＳ２０５におけるチャンネルサーチの動作手順を説明する。ここでは例として、ステップＳ２０４にて選局部１２ａが受信用、選局部１２ｂがサーチ用に割り当てられたとする。
まず、制御部１８は復調・ダイバ合成部１３に対し、ダイバ合成処理を停止させ、選局部１２ａ及び１２ｂより供給された各々のチャンネル信号を独立に復調及び伝送路復号処理させる。
【００３９】
次に、制御部１８は選局部１２ｂに対し、視聴番組の中継局の送信チャンネルを順に選局させながら、各チャンネルについてＴＳ解析部１４ｂよりＮＩＴ（Ｎｅｔｗｏｒｋ  Ｉｎｆｏｒｍａｔｉｏｎ  Ｔａｂｌｅ）情報を取得し、ＮＩＴ情報に含まれているネットワークＩＤ（ｎｅｔｗｏｒｋ＿ｉｄ）が現在視聴中の番組のネットワークＩＤと一致するか否かを比較する。一致する場合は中継局、不一致の場合は中継局ではない。ここで、中継局の物理チャンネルは、ＮＩＴ情報内に記述されており、制御部１８は予め視聴番組のＮＩＴ情報を取得し、中継局のチャンネル情報をメモリに格納しておく。
【００４０】
ステップＳ２０５にてチャンネルサーチを実行後、ステップＳ２０６に進む。ステップＳ２０６にて、受信可能な中継局（但し、視聴番組と同一チャンネルは除く）を見つけた場合は、復調・ダイバ合成部１３より当該中継局のＣＮＲと選局部１２ａによる視聴番組のＣＮＲを比較し、中継局の方が大きい場合はステップＳ２０７に進む。但し、ＣＮＲ以外の他の信号品質値を用いても良い。
ステップＳ２０７では、まず制御部１８は選択部１６に対し、Ｂ側より供給された映像及び音声信号を選択させ、これによりチャンネルサーチで発見した中継局の番組に切り替わる。
【００４１】
次に、制御部１８は選局部１２ａに対し、選局部１２ｂと同一チャンネルを選局させる。その後、ステップＳ２０８にて、制御部１８は復調・ダイバ合成部１３に対し、ダイバ合成処理を行わせ、抽出したＴＳ信号をＴＳ解析部１４ｂに出力する。これにより、視聴番組を途切れさせることなく中継局の番組に切り替えつつ、ダイバーシティ受信動作を行わせることができる。
【００４２】
一方、ステップＳ２０６にて、視聴番組よりも受信状態が良好な中継局が見つからなかった場合はステップＳ２０９に進む。ステップＳ２０９では、受信用の選局部１２ａとサーチ用の選局部１２ｂの入れ替えを行い、選局部１２ａをサーチ用、選局部１２ｂを受信用とする。具体的には、制御部１８は選局部１２ｂに対し、視聴番組のチャンネルを選局させ、また選択部１６に対し、Ｂ側より供給された映像及び音声信号を選択させる。
その後、ステップＳ２１０に移行し、制御部１８は選局部１２ａに対し、ステップＳ２０５と同様に中継局の送信チャンネルを順に選局させながら、ＴＳ解析部１４ａより各チャンネルのＮＩＴ情報を取得し、中継局を探索する。
【００４３】
ステップＳ２１０のチャンネルサーチを実行後、ステップＳ２１１に進む。ステップＳ２１１ではステップＳ２０６と同様に、受信可能な中継局（但し、視聴番組と同一チャンネルは除く）を見つけた場合は、復調・ダイバ合成部１３より当該中継局のＣＮＲと選局部１２ｂによる視聴番組のＣＮＲを比較し、中継局の方が大きい場合はステップＳ２０７に進む。ステップＳ２０７では、まず制御部１８は選択部１６に対し、Ａ側より供給された映像及び音声信号を選択させ、これによりチャンネルサーチで発見した中継局の番組に切り替わる。
【００４４】
次に、制御部１８は選局部１２ｂに対し、選局部１２ａと同一チャンネルを選局させる。その後、ステップＳ２０８にて、制御部１８は復調・ダイバ合成部１３に対し、ダイバ合成処理を行わせ、抽出したＴＳ信号をＴＳ解析部１４ａに出力する。これにより、視聴番組を途切れさせることなく中継局の番組に切り替えつつ、ダイバーシティ受信動作を行わせることができる。
【００４５】
一方、ステップＳ２１１にて、視聴番組よりも受信状態が良好な中継局が見つからなかった場合はステップＳ２１２に進む。ステップＳ２１２では、サーチ用の選局部１２ａに対し、受信用の選局部１２ｂと同一チャンネルを選局させる。そして、ステップＳ２０８に進み、復調・ダイバ合成部１３に対し、ダイバ合成処理を行わせ、抽出したＴＳ信号をＴＳ解析部１４ｂに出力する。これにより、視聴番組を途切れさせることなく、通常のダイバーシティ受信動作に戻すことができる。
【００４６】
ステップＳ２０８の処理後は、ステップＳ２０３に戻り、ステップＳ２０３〜Ｓ２１２の処理を繰返し実行する。これにより、視聴番組の受信電波状態が低下した際に定期的にチャンネルサーチを実行させることができる。このため、複数の受信エリアを走行する場合には、受信エリアを移動する度に当該受信エリアで受信可能な中継局のチャンネルを自動的に選局し、継続した番組視聴を行うことができる。
【００４７】
以上のように、本実施の形態によれば、視聴番組の受信電波状態が低下し、チャンネルサーチを開始する条件に達した場合に、２つの選局部を受信用とサーチ用に分割し、かつダイバ合成処理を停止することで、一方の受信系統の選局部で番組の視聴を継続しながら、他方の受信系統の選局部で受信可能な中継局のチャンネルを探索することができる。またこの時、中継局が見つからなかった場合は、受信用とサーチ用の選局部を切り替えて再度チャンネルサーチを行うことにより、一方の選局部でのみチャンネルサーチを行う場合に比べて、受信可能な中継局のチャンネルを発見できる可能性を引き出すことができる。
【実施例２】
【００４８】
図４は、本発明の第２の実施の形態における制御部１８の動作を示すフローチャートである。
第２の実施の形態は、どちらか一方の選局部を使用したチャンネルサーチを１セットとし、これを視聴番組の受信電波状態が低下している際に定期的に実行するものである（第１の実施の形態では、選局部１２ａ及び１２ｂをそれぞれ交互にサーチ用選局部に設定し、計２回のチャンネルサーチを１セットとしていた）。
【００４９】
図４のフローチャートにおいて、まずステップＳ４０１では、サーチ用選局部として選局部１２ａとすることを記憶しておく。選局部１２ａとしたのは例であって、選局部１２ｂとしても良い。
【００５０】
次に、ステップＳ２０１、Ｓ２０２では、第１の実施の形態と同様に、選局部１２ａ及び１２ｂを使用したダイバ合成受信を行い、選択部１６がＡ側の映像及び音声信号を選択して映像及び音声信号を出力する。
ステップＳ２０３において、チャンネルサーチの開始条件に達すると、次に、ステップＳ４０２において、サーチ用選局部に設定する選局部が選局部１２ａであるか選局部１２ｂであるかを判定する。ここでは、ステップＳ４０１においてサーチ用選局部として選局部１２ａを記憶させているため、ステップＳ４０３に進む。
【００５１】
ステップＳ４０２において、サーチ用選局部が選局部１２ａである場合はステップＳ４０３に進み、受信用に選局部１２ｂ、サーチ用に選局部１２ａを設定する。具体的には、制御部１８は選局部１２ｂに対し、視聴番組のチャンネルを継続受信させ、また選択部１６に対し、Ｂ側より供給された映像及び音声信号を選択させる。そして、ステップＳ２０５において、制御部１８は選局部１２ａに対し、中継局の送信チャンネルを順に選局させながら、ＴＳ解析部１４ａより各チャンネルのＮＩＴ情報を取得し、中継局を探索する。
【００５２】
一方、ステップＳ４０２において、サーチ用選局部が選局部１２ｂである場合はステップＳ４０４に進み、受信用に選局部１２ａ、サーチ用に選局部１２ｂを設定する。具体的には、制御部１８は選局部１２ａに対し、視聴番組のチャンネルを継続受信させ、また選択部１６に対し、Ａ側より供給された映像及び音声信号を選択させる。そして、ステップＳ２０５において、制御部１８は選局部１２ｂに対し、中継局の送信チャンネルを順に選局させながら、ＴＳ解析部１４ｂより各チャンネルのＮＩＴ情報を取得し、中継局を探索する。
【００５３】
続いて、ステップＳ２０６以降のステップＳ２０７、Ｓ２０８、Ｓ２１２については、第１の実施の形態と同様であるため説明を省略する。
【００５４】
ステップＳ２０８に続いて、ステップＳ４０５では、サーチ用選局部としてステップＳ２０５で受信用に用いた選局部をサーチ選局部とすることを記憶させる。ステップＳ４０５を実行後、ステップＳ２０３に戻る。
【００５５】
以上のように、本実施の形態によれば、視聴番組の受信電波状態が低下した場合に、２つの選局部を受信用とサーチ用に分割することで、番組の視聴を継続しながら、受信可能な中継局のチャンネルを探索することができる。また、どちらか一方の選局部を用いたチャンネルサーチを定期的に交互に実行させているため、両方の選局部それぞれについてチャンネルサーチを行う第１の実施の形態に比べて処理時間を半分に短縮できる。これにより、現在の受信チャンネルよりも受信状態が良好な中継局のチャンネルが存在しない受信環境では、チャンネルサーチに費やす無用な時間を低減し、ダイバ合成受信により番組視聴を行う時間をより長く確保することができる。
【実施例３】
【００５６】
本発明の第１の実施の形態において、受信用とサーチ用の選局部を切り替えてチャンネルサーチを実行する際に、受信用の選局部における電波の受信状況が悪い場合には、チャンネルサーチ中に視聴番組の受信が途切れてしまう可能性がある。
同様に、本発明の第２の実施の形態において、どちらか一方の選局部を受信用に設定する際に、受信用に割り当てられた選局部における電波の受信状況が悪い場合には、チャンネルサーチ中に視聴番組の受信が途切れてしまう可能性がある。
【００５７】
図５及び図６は上記課題を是正するための第３の実施例を示すフローチャートである。  図５は、第１の実施の形態における制御部１８の動作を示す図１のフローチャートにおいて、ステップＳ５０１の処理を追加したものである。
【００５８】
同図において、ステップＳ５０１では、制御部１８は、サーチ用の選局部に視聴番組のチャンネルを選局させ、復調・ダイバ合成部１３より、サーチ用選局部から供給されたチャンネル信号の信号品質値を取得する。そして、取得した信号品質値をもとに、ワンセグ放送または１２セグ放送が受信可能か否かを判定し、受信可能な場合はステップＳ２０９に進み、受信不可の場合はステップＳ２１２に進む。
これにより、受信用とサーチ用の選局部を切り替えてチャンネルサーチを実行する前に、切り替え後に受信用となる選局部において視聴番組が受信できるか否かを先に判定し、受信不可の場合はチャンネルサーチを実行しないようにすることができる。
【００５９】
図６は、第２の実施の形態における制御部１８の動作を示す図２のフローチャートにおいて、ステップＳ６０１及びＳ６０２の処理を追加したものである。
【００６０】
ステップＳ４０２において、サーチ用選局部に設定する選局部が選局部１２ａである場合は、ステップＳ６０１に進む。ステップＳ６０１では、受信用の選局部１２ｂで番組受信が可能であるか否かを判定する。具体的には、制御部１８は、選局部１２ｂに視聴番組のチャンネルを選局させ、復調・ダイバ合成部１３より、選局部１２ｂから供給されたチャンネル信号の信号品質値を取得する。そして、取得した信号品質値をもとに、ワンセグ放送または１２セグ放送が受信可能か否かを判定する。受信可能である場合は、ステップＳ４０３に進み、選局部１２ｂを受信用、選局部１２ａをサーチ用に設定し、チャンネルサーチを実行する。また、受信不可である場合は、ステップＳ４０４に進み、サーチ用と受信用の選局部を変更し、選局部１２ａを受信用、選局部１２ｂをサーチ用に設定し、チャンネルサーチを実行する。
【００６１】
一方、ステップＳ４０２において、サーチ用選局部に設定する選局部が選局部１２ｂである場合は、ステップＳ６０２に進む。ステップＳ６０２では、受信用の選局部１２ａで番組受信が可能であるか否かを判定する。具体的には、制御部１８は、選局部１２ａに視聴番組のチャンネルを選局させ、復調・ダイバ合成部１３より、選局部１２ａから供給されたチャンネル信号の信号品質値を取得する。そして、取得した信号品質値をもとに、ワンセグ放送または１２セグ放送が受信可能か否かを判定する。受信可能である場合は、ステップＳ４０４に進み、選局部１２ａを受信用、選局部１２ｂをサーチ用に設定し、チャンネルサーチを実行する。また、受信不可である場合は、ステップＳ４０３に進み、サーチ用と受信用の選局部を変更し、選局部１２ｂを受信用、選局部１２ａをサーチ用に設定し、チャンネルサーチを実行する。
このように、受信用に使用する選局部の受信電波状況が悪い場合には、受信用とサーチ用の選局部の割り当てを変更してチャンネルサーチを実行させることで、チャンネルサーチ実行時において、視聴番組が受信不可となってしまう可能性を軽減することができる。
【実施例４】
【００６２】
本発明の第１から第３の実施の形態におけるチャンネルサーチでは、視聴番組の中継局を探索する処理について説明していたが、中継局のみに限らず、中継局が見つからなかった場合は視聴番組の系列局を探索する処理を追加することができる。
【００６３】
図７は、図１で示した受信装置１０に、ＧＰＳ（Ｇｌｏｂａｌ  Ｐｏｓｉｔｉｏｎｉｎｇ  Ｓｙｓｔｅｍ）などを利用して車両の現在位置を取得可能な位置情報検出部２０を加えた構成である。また、図８は、制御部１８に予め記憶させておくデータベースであって、８０１は、放送地域を単位として各放送局の系列識別や中継局の送信チャンネルなどの情報を格納した放送局データベース、８０２は、各地域について隣接地域の情報を格納した隣接地域データベースである。
【００６４】
図９は、第４の実施の形態におけるチャンネルサーチの実行手順を示すフローチャートである（第１の実施の形態では図２のステップＳ２０５及びＳ２１０の処理に該当する）。
同図において、制御部１８は、チャンネルサーチを開始すると、第１から第３の実施の形態と同様に、まずステップＳ９０１において、サーチ用の選局部を使用して視聴番組の中継局のチャンネルをサーチし、続いてステップＳ９０２において、受信用の選局部で受信している視聴番組よりも信号品質値が良好な中継局を発見したか否かを判定する。発見した場合は、チャンネルサーチ処理を終了し、その後当該中継局の受信に切り替える。発見できなかった場合は、ステップＳ９０３に進み、続いて系列局を探索する処理を行う。
【００６５】
ステップＳ９０３では、制御部１８は、位置情報検出部２０より車両の現在位置情報を取得する。次に、ステップＳ９０４では、制御部１８は、まず放送局データベース８０１より現在位置を放送地域とする系列局（視聴番組と同一系列識別を有する放送局）を調べる。そして、該当放送局の中継局の送信チャンネルを抽出し、これらのチャンネルをサーチ用の選局部に選局させながら、各チャンネルについてＴＳ解析部よりＢＩＴ（Ｂｒｏａｄｃａｓｔｅｒ  Ｉｎｆｏｒｍａｔｉｏｎ  Ｔａｂｌｅ）を取得し、ＢＩＴに含まれている系列識別が視聴番組の系列識別と一致すれば、系列局であると判断できる。例えば、現在位置が宮城県であり、東京放送系列（系列識別＝３）の放送局を視聴している場合には、放送局データベース８０１より、ＴＢＣテレビの中継局の送信チャンネルである、１８、１９、２２、２３、２７、４４、４５チャンネルを抽出し、これらのチャンネルを順に探索していく。そして、ステップＳ９０５にて、受信用の選局部で受信している視聴番組よりも信号品質値が良好な系列局を発見したか否かを判定する。発見した場合は、チャンネルサーチ処理を終了し、その後当該系列局の受信に切り替える。発見できなかった場合は、ステップＳ９０６に進む。
【００６６】
ステップＳ９０６では、制御部１８は、まず隣接地域データベース８０２より、現在位置の隣接地域を調べる。そして、各隣接地域について、放送局データベース８０１より当該地域を放送地域とする系列局の送信チャンネルを抽出し、これらのチャンネルをサーチ用の選局部に選局させながら系列局を探索する。例えば、現在位置が宮城県であり、東京放送系列（系列識別＝３）の放送局を視聴している場合には、まず隣接地域データベース８０２より宮城である隣接地域の岩手、福島、山形を抽出する。そして、放送局データベース８０１より、これらの３地域のなかに、系列識別＝３である放送局が存在すれば、これらの放送局の送信チャンネルを抽出し、順に探索していく。そして、ステップＳ９０７にて、ステップＳ９０５と同様に、受信用の選局部で受信している視聴番組よりも信号品質値が良好な系列局を発見したか否かを判定する。発見した場合は、チャンネルサーチ処理を終了し、その後当該系列局の受信に切り替える。発見できなかった場合は、ステップＳ９０８に進む。
【００６７】
ステップＳ９０８では、制御部１８は、これまでの探索処理（ステップＳ９０１、Ｓ９０４、Ｓ９０６）において、地上デジタル放送の１３〜６２チャンネルの中でまだ探索していないチャンネルを順に探索する。そして、ステップＳ９０９にて、ステップＳ９０５と同様に、受信用の選局部で受信している視聴番組よりも信号品質値が良好な系列局を発見したか否かを判定する。発見した場合は、チャンネルサーチ処理を終了し、その後当該系列局の受信に切り替える。発見できなかった場合は、視聴中の番組よりも受信状態が良好な中継局又は系列局のチャンネルが発見できなかったと判断し、チャンネルサーチを終了する。
【００６８】
以上のように、チャンネルサーチにおいて中継局が見つからなかった場合に続けて系列局を探索すれば、放送地域をまたいだ走行をする場合にも、スムーズに系列局にチャンネルを切り替えて受信を継続することができる。また、車両の位置情報と放送局データベース８０１及び隣接地域データベース８０２を連動させ、現在位置に近い場所で放送を行っている系列局から順に探索を行うことで、効率良く系列局を探索することができる。なお、本実施の形態で説明した系列局の探索方法については、簡単化のために地上デジタル放送で使用されている１３〜６２チャンネルまでを１チャンネルずつ順番に探索して行く方法であっても良い。
【実施例５】
【００６９】
本発明の第１から第４の実施の形態においては、視聴番組の中継局や系列局を探索するチャンネルサーチ処理を説明したが、車両の現在位置で受信可能な放送局の一覧を作成する処理（以下、チャンネルスキャン処理）を実現することもできる。
【００７０】
図１０は、受信装置１０のチャンネルスキャン処理の手順を示すフローチャートである。
本フローチャートは、例えば、操作部１９よりユーザによるチャンネルスキャン処理を実行する操作が行われたとき、又は位置情報検出部２０より車両の現在位置を取得し別の放送地域に移動したことを検知したとき、更には制御部１８が視聴番組の受信電波状況が良好であると判断したとき、などの条件が得られた場合に開始する。
【００７１】
以下に、チャンネルスキャン処理の動作手順を説明する。
まず、受信装置１０がダイバーシティ受信動作を行っている場合、制御部１８は、復調・ダイバ合成部１３に対し、ダイバ合成処理を停止させる。ステップＳ１００１にて、制御部１８は、選局部１２ａ又は１２ｂのどちらか一方の選局部を受信用、他方の選局部をスキャン用に割り当てる。割り当て方法は、復調・ダイバ合成部１３にて選局部１２ａ及び１２ｂの各々のチャンネル信号のＣＮＲを算出し、ＣＮＲの大きい方を受信用、ＣＮＲの小さい方をスキャン用に用いれば良い。但し、ＣＮＲ以外の他の信号品質値を用いて割り当てを決定しても良い。ここでは例として、選局部１２ａが受信用、選局部１２ｂがスキャン用に割り当てられたとする。
【００７２】
次に、ステップＳ１００２にて、制御部１８は選局部１２ｂに対し、地上デジタル放送で使用している１３〜６２チャンネルまでを順に選局させながら、各チャンネルについてＴＳ解析部１４ｂよりＮＩＴ情報などを取得し、これらの情報を元に受信可能な放送局の一覧を作成していく。
【００７３】
ステップＳ１００２のチャンネルスキャン処理が終了したら、ステップＳ１００３にて、受信用の選局部１２ａとスキャン用の選局部１２ｂを入れ替え、選局部１２ａをスキャン用、選局部１２ｂを受信用とする。具体的には、制御部１８は選局部１２ｂに対し、視聴番組のチャンネルを選局させ、また選択部１６に対し、Ｂ側より供給される映像及び音声信号を選択させる。
【００７４】
そして、ステップＳ１００４に移行し、制御部１８は選局部１２ａに対し、地上デジタル放送で使用している１３〜６２チャンネルまでを順に選局させながら、各チャンネルについてＴＳ解析部１４ａよりＮＩＴ情報などを取得し、これらの情報を元にまだ放送局の一覧に登録されていないチャンネルが見つかった場合は、放送局の一覧に追加登録する。
【００７５】
ステップＳ１００４のチャンネルスキャン処理が終了したら、ステップＳ１００５にて、制御部１８は選局部１２ａに対し、選局部１２ｂと同一チャンネルである視聴番組を選局させ、続いてステップＳ１００６にて、復調・ダイバ合成部１３に対し、ダイバ合成処理を行わせ、抽出したＴＳ信号をＴＳ解析部１４ｂに出力する。これにより、受信装置１０は、ダイバーシティ受信動作に戻る。このとき、選択部１６は、Ｂ側より供給される映像及び音声信号を選択しており、チャンネルスキャン処理を開始する前に選択していたＡ側とは異なっている。
【００７６】
以上のように、本実施の形態によれば、２つの選局部を受信用とスキャン用に分割することで、番組の視聴を継続させながら、車両の現在位置で受信可能な放送局の一覧を作成することができる。この時、一方の選局部によるチャンネルスキャン処理では見つからなかった放送局があったとしても、もう一方の選局部でも同様のチャンネルスキャン処理を行うため、一方の選局部でのみチャンネルスキャン処理を行う場合に比べて、より多くの放送局を発見できる可能性を引き出すことができる。
【００７７】
また、第３の実施の形態で説明したように、ステップＳ１００３において受信用とスキャン用の選局部を入れ替えた際に、受信用の選局部で視聴番組を受信できない場合は、ステップＳ１００４の処理を省略することで、チャンネルスキャンを行うよりも視聴番組の受信を優先させる処理を行っても良い。
【実施例６】
【００７８】
また、番組内容を表示するための電子番組表ＥＰＧ（Ｅｌｅｃｔｒｉｃ  Ｐｒｏｇｒａｍ  Ｇｕｉｄｅ）を作成する処理（以下、チャンネルスキャン処理）を実現することもできる。
【００７９】
図１１は、受信装置１０のＥＰＧ情報を取得する処理手順を示すフローチャートである。
本フローチャートは、例えば、操作部１９よりユーザによるＥＰＧの表示を指示する操作が行われたとき、或いは制御部１８が視聴番組の受信電波状況が良好であると判断したとき（例えば、図３において信号品質値が閾値Ａよりも大きいとき）、などの条件が得られた場合に開始する。
【００８０】
以下に、ＥＰＧ情報の取得処理の動作手順を説明する。
まず、受信装置１０がダイバーシティ受信動作を行っている場合、制御部１８は、復調・ダイバ合成部１３に対し、ダイバ合成処理を停止させる。ステップＳ１１０１にて、制御部１８は、選局部１２ａ又は１２ｂのどちらか一方の選局部を受信用、他方の選局部をＥＰＧ取得用に割り当てる。割り当て方法は、復調・ダイバ合成部１３にて選局部１２ａ及び１２ｂの各々のチャンネル信号のＣＮＲを算出し、ＣＮＲの大きい方を受信用、ＣＮＲの小さい方をＥＰＧ取得用に用いれば良い。但し、ＣＮＲ以外の他の信号品質値を用いて割り当てを決定しても良い。ここでは例として、選局部１２ａが受信用、選局部１２ｂがＥＰＧ取得用に割り当てられたとする。
【００８１】
次に、ステップＳ１１０２にて、制御部１８は選局部１２ｂに対し、受信装置１０に登録されている放送局のチャンネルを順に選局させながら、各チャンネルについてＴＳ解析部１４ｂよりＥＰＧを表示するために必要なＥＩＴ（Ｅｖｅｎｔ  Ｉｎｆｏｒｍａｔｉｏｎ  Ｔａｂｌｅ）情報などを取得し、これらの情報を元に各放送局のＥＰＧを作成していく。
【００８２】
ステップＳ１１０２のＥＰＧ取得処理が終了したら、ステップＳ１１０３にて、登録されている放送局の全てのＥＰＧ情報が取得できたか否かを判定する。取得できた場合は、ステップＳ１１０６に移行し、取得できなかった場合は、ステップＳ１１０４に進む。
【００８３】
ステップＳ１１０４では、受信用の選局部１２ａとＥＰＧ取得用の選局部１２ｂを入れ替え、選局部１２ａをＥＰＧ取得用、選局部１２ｂを受信用とする。また制御部１８は、選択部１６に対し、Ｂ側より供給される映像及び音声信号を選択させる。
そして、ステップＳ１１０５に移行し、制御部１８は選局部１２ａに対し、ステップＳ１１０２にてＥＰＧ情報を取得できなかった放送局のチャンネルを順に選局させながら、各チャンネルについてＴＳ解析部１４ａよりＥＩＴ情報などを取得し、これらの情報を元に各放送局のＥＰＧを作成していく。
【００８４】
ステップＳ１１０５のＥＰＧ取得処理が終了したら、ステップＳ１１０６にて、制御部１８は選局部１２ａに対し、選局部１２ｂと同一チャンネルである視聴番組を選局させ、続いてステップＳ１１０７にて、復調・ダイバ合成部１３に対し、ダイバ合成処理を指示する。これにより、受信装置１０は、ダイバーシティ受信動作に戻る。このとき、選択部１６は、Ｂ側より供給される映像及び音声信号を選択しており、チャンネルスキャン処理を開始する前に選択していたＡ側とは異なっている。
【００８５】
以上のように、本実施の形態によれば、２つの選局部を受信用とＥＰＧ取得用に分割することで、番組の視聴を継続させながら、受信装置１０に登録されている放送局のＥＰＧを作成することができる。この時、一方の選局部によるＥＰＧ取得処理でＥＰＧ情報が取得できなかったとしても、もう一方の選局部でもＥＰＧ取得処理を行うため、一方の選局部のみでＥＰＧ取得処理を行う場合に比べて、より確実にＥＰＧを作成することができる。
【００８６】
また、第３の実施の形態で説明したように、ステップＳ１１０４において受信用とＥＰＧ取得用の選局部を入れ替えた際に、受信用の選局部で視聴番組を受信できない場合は、ステップＳ１１０５の処理を省略することで、ＥＰＧ取得処理を行うよりも視聴番組の受信を優先させる処理を行っても良い。
【実施例７】
【００８７】
図１２は、本発明の第７の実施の形態における制御部１８の動作を示すフローチャートである。ユーザの選局操作によって選局情報が操作部１９より制御部１８に供給されると、本フローチャートを開始し、まず第１の実施の形態と同様に、ステップＳ２０１にて制御部１８は、操作部１９より供給された選局情報に基づき、対応する受信チャンネルを選局部１２ａ及び１２ｂに設定する。そして、ステップＳ２０２にて制御部１８は、復調・ダイバ合成部１３に対し、ダイバ合成処理を行わせ、抽出したＴＳ信号をＴＳ解析部１４ａに出力させる。また、制御部１８は、選択部１６に対し、Ａ側の映像及び音声信号を選択させる。これにより、２つのアンテナを使用したダイバーシティ受信動作による番組受信を行うことができる。
【００８８】
次に、ステップＳ２０３にて制御部１８は、チャンネルサーチを開始する条件に達したか否かを判定し、チャンネルサーチを開始する条件に達した場合はステップＳ１２０１に進み、チャンネルサーチを開始する条件に達していない場合はステップＳ２０３の判定を繰り返す。ステップＳ２０３の判定処理は、第１の実施の形態と同様であり、説明を省略する。
【００８９】
ステップＳ１２０１では、制御部１８は、選局部１２ａ又は１２ｂのどちらか一方の選局部を継続受信用に割り当て、他方の選局部をチャンネルサーチ用に割り当てる。割り当て方法は、どのような方法を用いても良い。
【００９０】
次に、ステップＳ１２０２におけるチャンネルサーチの動作を説明する。ここでは例として、ステップＳ１２０１にて選局部１２ａが受信用、選局部１２ｂがサーチ用に割り当てられたとする。
まず、制御部１８は復調・ダイバ合成部１３に対し、ダイバ合成処理を停止させ、選局部１２ａ及び１２ｂより供給された各々のチャンネル信号を独立に復調及び伝送路復号処理させる。
【００９１】
次に、制御部１８は選局部１２ｂに対し、視聴番組の中継局の送信チャンネルを順に選局させながら、各チャンネルについてＴＳ解析部１４ｂよりＮＩＴ情報を取得し、ＮＩＴ情報に含まれているネットワークＩＤが現在視聴中の番組のネットワークＩＤと一致するか否かを比較し、一致する場合は中継局と判断する。ここで、中継局の物理チャンネルは、ＮＩＴ情報内に記述されており、制御部１８は予め視聴番組のＮＩＴ情報を取得し、中継局のチャンネル情報をメモリに格納しておく。
【００９２】
また制御部１８は、図１３の１３０１に示すように、中継局の各チャンネルについて、中継局を受信できたか否かを示す情報、及び復調・ダイバ合成部１３より受信電力を取得してメモリに保持しておく。図１３の１３０１の例では、１５、１８、２６チャンネルで中継局を受信できている。
【００９３】
次に、ステップＳ１２０３では、受信用の選局部１２ａとサーチ用の選局部１２ｂの入れ替えを行い、選局部１２ａをサーチ用、選局部１２ｂを受信用とする。具体的には、制御部１８は選局部１２ｂに対し、視聴番組のチャンネルを選局させ、また選択部１６に対し、Ｂ側より供給された映像及び音声信号を選択させる。
【００９４】
ステップＳ１２０４では、制御部１８は選局部１２ａに対し、ステップＳ１２０２と同様に中継局の送信チャンネルを順に選局させながら、ＴＳ解析部１４ａより各チャンネルのＮＩＴ情報を取得し、中継局を探索する。また制御部１８は、図１３の１３０２に示すように、中継局の各チャンネルについて、復調・ダイバ合成部１３より受信電力を取得してメモリに保持しておく。図１３の１３０２の例では、１８、２６チャンネルで中継局を受信できている。
【００９５】
続いて、ステップＳ１２０５では、図１３の１３０３に示すように、ステップＳ１２０２又はＳ１２０４において中継局と判断されたチャンネル（図１３の例では１５、１８、２６チャンネル）に対して、１３０１と１３０２の受信電力を加算した合計電力を求める。そして、ステップＳ１２０６では、１３０３の中に視聴番組よりも合計電力値が大きい中継局のチャンネルが見つかったか否かを判定する。見つかった場合はステップＳ１２０７に進み、見つからなかった場合はステップＳ１２０８に進む。図１３の例では、視聴番組の１８チャンネルよりも２６チャンネルの合計電力値が大きく、ステップＳ１２０７に進む。ステップＳ１２０７では、まず制御部１８は、選局部１２ａに対し、チャンネルサーチで発見した中継局のチャンネルを選局させ、選択部１６に対し、Ａ側より供給された映像及び音声信号を選択させ、これによりチャンネルサーチで発見した中継局の番組に切り替わる。
【００９６】
次に、制御部１８は選局部１２ｂに対し、選局部１２ａと同一チャンネルを選局させる。その後、ステップＳ１２０９にて、制御部１８は復調・ダイバ合成部１３に対し、ダイバ合成処理を行わせ、抽出したＴＳ信号をＴＳ解析部１４ａに出力する。これにより、視聴番組を途切れさせることなく中継局の番組に切り替えつつ、ダイバーシティ受信動作を行わせることができる。
【００９７】
一方、ステップＳ１２０８では、サーチ用の選局部１２ａに対し、受信用の選局部１２ｂと同一チャンネルを選局させる。そして、ステップＳ１２０９にて、復調・ダイバ合成部１３に対し、ダイバ合成処理を行わせ、抽出したＴＳ信号をＴＳ解析部１４ｂに出力する。これにより、視聴番組を途切れさせることなく、通常のダイバーシティ受信動作に戻すことができる。
【００９８】
ステップＳ１２０９の処理後は、ステップＳ２０３に戻り、ステップＳ２０３及びＳ１２０１〜Ｓ１２０９の処理を繰返し実行する。これにより、視聴番組の受信電波状態が低下した際に定期的にチャンネルサーチを実行させることができる。このため、複数の受信エリアを走行する場合には、受信エリアを移動する度に当該受信エリアで受信可能な中継局のチャンネルを自動的に選局し、継続した番組視聴を行うことができる。
【００９９】
以上のように、本実施の形態によれば、選局部１２ａ及び１２ｂの両方でチャンネルサーチを実行し、それぞれのチャンネルサーチの結果を電力加算する処理を行っている。したがって、各選局部での受信信号を用いたダイバーシティ動作を行ったときに受信状態が良好となる中継局のチャンネルを発見できるという特徴がある。
【０１００】
一方、ダイバーシティ動作を行った時に最も受信状態が良好となるような中継局のチャンネルを発見するためには、復調・ダイバ合成部１３におけるダイバーシティ動作のアルゴリズムと同様のことをすればよい。すなわち、例えば復調・ダイバ合成部１３が最大比合成によるダイバーシティ動作を行うものとすると、各選局部によるチャンネルサーチでは、チャンネルごとにサブキャリアに関する情報を記憶させ、そして同一チャンネルのサブキャリアを重み付け合成したＣＮＲを算出し、ＣＮＲが最大となるチャンネルを選択すれば良い。
【０１０１】
以上に示した本発明の実施の形態において、受信装置１０は、２つの選局部１０ａ及び１０ｂを有する構成について説明したが、３つ以上の選局部より構成することも可能である。例えば、４つの選局部から構成される場合には、通常は４つの選局部を用いたダイバーシティ受信動作を行い、チャンネルサーチ（又はチャンネルスキャン、ＥＰＧ取得処理）を行う際には、２つの選局部を受信用、残り２つの選局部をサーチ用（又はスキャン用、ＥＰＧ取得用）とすれば良い。
【符号の説明】
【０１０２】
１０…受信装置、１１…アンテナ部、１２…選局部、１３…復調・ダイバ合成部、１４…ＴＳ解析部、１５…映像・音声デコード部、１６…選択部、１７…出力部、１８…制御部、１９…操作部、２０…位置情報検出部。
【図１】
2011223439.tif 000003
【図２】
2011223439.tif 000004
【図３】
2011223439.tif 000005
【図４】
2011223439.tif 000006
【図５】
2011223439.tif 000007
【図６】
2011223439.tif 000008
【図７】
2011223439.tif 000009
【図８】
2011223439.tif 000010
【図９】
2011223439.tif 000011
【図１０】
2011223439.tif 000012
【図１１】
2011223439.tif 000013
【図１２】
2011223439.tif 000014
【図１３】
2011223439.tif 000015